(57)【特許請求の範囲】
【請求項１】
左右の支柱同士を互いに連結する左右方向を向く横連結杆に、左右方向を向く断面上向きコ字状の商品ホルダの後部を着脱可能に掛止するとともに、該商品ホルダに、その商品支持部を左右方向に仕切る前後方向を向く仕切杆を、商品ホルダの前板と後板を貫通するようにして取付け、さらに、前記商品ホルダの後板の上端部に、前記横連結杆に上方から嵌合可能な下向きコ字状の掛止部を設け、かつ前記仕切杆を、前記後板に設けた貫通孔から後方に突出して横連結杆の直下に位置するようにしたことを特徴とする商品陳列装置。
【請求項２】
左右の支柱同士を互いに連結する左右方向を向く横連結杆に、左右方向を向く断面上向きコ字状の商品ホルダの後部を着脱可能に掛止するとともに、該商品ホルダに、その商品支持部を左右方向に仕切る前後方向を向く仕切杆を、商品ホルダの前板と後板を貫通するようにして取付け、さらに、前記仕切杆を間隔を隔てて２本配置し、これらの仕切杆により円形商品の周縁部を保持するようにしたことを特徴とする商品陳列装置。
【請求項３】
商品ホルダの後板の上下寸法を前板よりも長寸とし、前記前板の上端縁に、複数の凹溝を左右方向に所定間隔おきに設けるとともに、前記後板における前記各凹溝と対向する位置に貫通孔を穿設し、前記凹溝に嵌合可能な小径の嵌合溝を前端部に有する仕切杆を、前記貫通孔に着脱可能に嵌挿したことを特徴とする請求項１または２記載の商品陳列装置。
【請求項４】
横連結杆を、左右の支柱の前面の係止孔に係合させた前方を向くブラケットの対向面間に固着してなる請求項１〜３のいずれかに記載の商品陳列装置。
【発明の詳細な説明】
【０００１】
【発明の属する技術分野】
本発明は、例えば自転車やその車輪、サイズの異なる円形の商品を安定的に支持して陳列しうるようにした商品陳列装置に関する。
【０００２】
【従来の技術】
従来の陳列装置としては、例えば実開平７ー２０９１３号公報に開示されているように、垂直に立設された枠体の側面に自転車を、枠体と並列に陳列するようにしたものがある。
【０００３】
【発明が解決しようとする課題】
上記従来の陳列装置では、自転車のサイズや形状の違いなどにより、陳列場所の変更等は全く考慮されていないため、ディスプレイ効果が小さかった。
また、自転車の車輪等、円形の商品の陳列には不向きである。
【０００４】
本発明は、上述の問題点に鑑み、自転車のような重量のある商品、サイズや形状の異なる円形の商品等を、安定的にかつディスプレイ効果を高めて陳列しうるようにした商品陳列装置を提供することを目的としている。
【０００５】
【課題を解決するための手段】
本発明によると、上記課題は、次のようにして解決される。
(１) 左右の支柱同士を互いに連結する左右方向を向く横連結杆に、左右方向を向く断面上向きコ字状の商品ホルダの後部を着脱可能に掛止するとともに、該商品ホルダに、その商品支持部を左右方向に仕切る前後方向を向く仕切杆を、商品ホルダの前板と後板を貫通するようにして取付け、さらに、前記商品ホルダの後板の上端部に、前記横連結杆に上方から嵌合可能な下向きコ字状の掛止部を設け、かつ前記仕切杆を、前記後板に設けた貫通孔から後方に突出して横連結杆の直下に位置するようにする。
【０００６】
(２)  左右の支柱同士を互いに連結する左右方向を向く横連結杆に、左右方向を向く断面上向きコ字状の商品ホルダの後部を着脱可能に掛止するとともに、該商品ホルダに、その商品支持部を左右方向に仕切る前後方向を向く仕切杆を、商品ホルダの前板と後板を貫通するようにして取付け、さらに、前記仕切杆を間隔を隔てて２本配置し、これらの仕切杆により円形商品の周縁部を保持するようにする。
【０００７】
(３) 上記(１)または(２)項において、商品ホルダの後板の上下寸法を前板よりも長寸とし、前記前板の上端縁に、複数の凹溝を左右方向に所定間隔おきに設けるとともに、前記後板における前記各凹溝と対向する位置に貫通孔を穿設し、前記凹溝に嵌合可能な小径の嵌合溝を前端部に有する仕切杆を、前記貫通孔に着脱可能に嵌挿する。
【０００８】
(４) 上記(１)〜(３)項のいずれかにおいて、横連結杆を、左右の支柱の前面の係止孔に係合させた前方を向くブラケットの対向面間に固着する。
【０００９】
【発明の実施の形態】
図１は、本発明の一実施形態を示す正面図で、建物の壁面に沿って、床面(１)と天井(２)との間に立設された複数の支柱(３)と、各支柱(３)間に水平に架設され、隣接する支柱(３)同士を連結する上下複数本の横連結杆(４)と、適宜の横連結杆(４)に係止された商品ホルダ(５)とを備えている。
【００１０】
各支柱(３)は、角筒状をなし、かつ前後面には、左右２列の縦長の係止孔(６)が、上下方向に等間隔おきに多数列設されている。
【００１１】
横連結杆(４)は、図２及び図３に示すように、上向きコ字状をなし、左右両端部の下面に形成された下向きコ字状の係合溝(4a)を、支柱(３)の両側面を貫通する上下複数の縦長矩形状の適宜の係止孔(図示略)の開口縁に、上方より着脱可能に嵌合することにより、上下位置調節可能に取付けられている。
【００１２】
商品ホルダ(５)は、図２及び図３に示すように、板金を折曲することにより、横連結杆(４)に上方より嵌合可能な下向きコ字状の掛止部(5a)と、上向きコ字状の支持部(5b)とからなり、左右方向の長さは、左右の支柱(３)間の寸法よりも若干小となっている。
【００１３】
上記支持部(5b)における前板(7a)の上端縁には、半円形の複数の凹溝(８)が、また、同じく前板(7a)よりも上下寸法を長寸とした後板(7b)における各凹溝(８)と対向する位置には、それと同心をなす円形の貫通孔(９)が、それぞれ左右方向に等間隔おきに形成されている。
【００１４】
図３に示すように、商品ホルダ(５)の掛止部(5a)を、横連結杆(４)に上方より嵌合して掛止したのち、前端部に小径の嵌合溝(10)を有する丸棒状の仕切杆(11)を、後板(7b)の貫通孔(９)に挿入し、その嵌合溝(10)を前板(7a)の凹溝(８)に嵌合すると、仕切杆(11)が抜け止めされるとともに、仕切杆(11)の後板(7b)よりの突出端部が横連結杆(４)の直下に位置することにより、商品ホルダ(５)は横連結杆(４)より脱落するのが防止されて強固に支持される。
【００１５】
図１及び図４に拡大して示すように、横連結杆(４)に支持した商品ホルダ(５)における支持部(5b)を、例えば所要寸法離間させて挿入した２本の仕切杆(11)により仕切れば、その間に自転車の車輪やタイヤ等、円形の商品(12)を、左右方向に移動不能に支持して陳列することができる。
【００１６】
また、図１に示すように、自転車(13)等の重量物を陳列する際には、左右の適宜の横連結杆(４)に取付けた２個の商品ホルダ(５)により、自転車(13)の車輪を支持することができる。
【００１７】
この際、仕切杆(11)は、前後輪と近接する外方の貫通孔(９)を選択して挿入すればよい。
【００１８】
また、左右の商品ホルダ(５)の上下方向の掛止位置を異ならせれば、自転車(13)を傾斜させて陳列することができ、ディスプレイ効果を高めることができる。
【００１９】
支持部(5b)を若干深くして、車輪の側面を広範囲に保持するようにすれば、左右の商品ホルダ(５)のみで、自転車(13)を直立状態で支持しうるが、天井(２)や最上部の横連結杆(４)にフック(14)を取付け、これに係止したワイヤ又はチェーン(15)により、自転車(13)の上部側の適所を支持するようにすれば、支持部(5b)が浅くても、安定的に保持することができる。
【００２０】
図５は、商品ホルダ(５)の他の取付形態を示すもので、支柱(３)の前面の係止孔(６)に係合可能な下向鉤状の複数のフック(16)を有する左右１対のブラケット(17)(一方のみ図示する)の対向面に、縦長矩形断面をなす左右方向を向く横連結杆(18)の両端を溶接し、隣接する左右の支柱(３)の前面にブラケット(17)と共に横連結杆(18)を取付けたのち、商品ホルダ(５)の掛止部(5a)を、横連結杆(18)に上方より嵌合して掛止するようにしている。
【００２１】
この取付形態においても、仕切杆(11)を挿入した際、その後端部が横連結杆(18)の直下に位置して、商品ホルダ(５)の横連結杆(18)よりの脱落が防止されるようになっている。
【００２２】
上記実施形態においては、商品ホルダ(５)の前板(7a)の上端縁に半円形の凹溝(８)を設け、これに仕切杆(11)の嵌合溝(10)を嵌合して、その抜け止めを図っているが、凹溝(８)の代わりに通孔を穿設してもよい。
【００２３】
また、上記実施形態では、商品ホルダ(５)の支持部(5b)を２本の仕切杆(11)により仕切り、その間に円形の商品(12)を支持するようにしているが、２本の仕切杆(11)に商品(12)の下部外周面を当接させて支持することもできる。
【００２４】
【発明の効果】
請求項１記載の発明によれば、商品ホルダの支持部を仕切杆により仕切ることにより、自転車の車輪等を左右方向に移動するのを阻止して安定的に陳列することができる。
また、複数の商品ホルダを、上下及び左右方向に位置を異ならせて配置することにより、それらに陳列される商品の種類等に応じて陳列場所を自在に変えることが可能となり、ディスプレイ効果を高めることができる。
さらに、商品ホルダは、その掛止部が横連結杆に上方より嵌合し、かつ横連結杆の直下には仕切杆の後端部が位置しているので、地震等で商品ホルダが横連結杆より脱落することはない。
【００２５】
請求項２記載の発明によれば、間隔を隔てて配置された２本の仕切杆により、車輪のような円形商品の周縁部が左右２箇所で支持されるので、円形商品が左右方向に転動するのが防止される。
【００２６】
請求項３記載の発明によれば、仕切杆を左右方向に簡単に移動しうるため、サイズや形状の異なる円形の商品を容易かつ安定的に陳列することができる。
また、仕切杆は、その嵌合溝が商品ホルダの凹溝に嵌合しているので、簡単に脱落する恐れはない。
【００２７】
請求項４記載の発明によれば、商品ホルダは支柱の前方に突出して支持されるので、支柱を跨がる大型の商品でも、支柱と干渉することなく陳列することができる。
【図面の簡単な説明】
【図１】  本発明の商品陳列装置の一実施形態を示す正面図である。
【図２】  同じく、商品ホルダの斜視図である。
【図３】  同じく、商品ホルダの側面図である。
【図４】  同じく、円形商品を支持した状態を示す商品ホルダの一部の正面図である。
【図５】  同じく、商品ホルダの他の支持形態を示す側面図である。
【符号の説明】
(１)床面
(２)天井
(３)支柱
(４)横連結杆
(５)商品ホルダ
(5a)掛止部
(5b)支持部
(６)係止孔
(7a)前板
(7b)後板
(８)凹溝
(９)貫通孔
(10)嵌合溝
(11)仕切杆
(12)商品
(13)自転車
(14)フック
(15)ワイヤ又はチェーン
(16)フック
(17)ブラケット
(18)横連結杆
【図１】
0004680366.tif 000002
【図２】
0004680366.tif 000003
【図３】
0004680366.tif 000004
【図４】
0004680366.tif 000005
【図５】
0004680366.tif 000006